(57)【要約】【課題】洗浄された油や埃の油捕集機構部、洗浄ケーシングへの再付着を軽減することを目的とする。【解決手段】洗浄ケーシング９に洗浄液１１を貯排する開閉弁１６を設け、開閉弁１６を閉じて洗浄液１１を貯め、羽根車８に一体に設けた油捕集機構部１９を回転させて洗浄した後、開閉弁１６を開いて、羽根車８を低速で回転させ、洗浄された油や埃が洗浄液１１上方に浮遊しないよう攪拌しながら洗浄液１１を排出することにより、洗浄された油や埃が、油捕集機構部１９、羽根車８のブレード１８、洗浄ケーシング９に再付着するのを軽減できるレンジフードを得られる。【選択図】図１
2014062710.tif 000002
【特許請求の範囲】
【請求項１】
調理器具上方に位置するよう設けられ、電動機により回転する羽根車と、前記羽根車に一体に設けた油捕集機構部と、前記油捕集機構部を洗浄液に浸漬させるための洗浄ケーシングと、洗浄ケーシングに、洗浄液を貯排する開閉弁とを設け、開閉弁を閉じて洗浄液を貯め、油捕集機構部を回転させながら浸漬して洗浄する洗浄工程後に、開閉弁を開いて洗浄液を排出する洗浄液排出工程を設けた洗浄機能付レンジフードにおいて、洗浄液排出工程では、前記羽根車を低速で回転させることを特徴とするレンジフード。
【請求項２】
羽根車の回転数検知手段を設け、洗浄工程中と洗浄液排出工程中に回転数検知手段で回転数を検知することを特徴とする請求項１に記載のレンジフード。
【請求項３】
電動機の電流値検知手段を設け、洗浄工程中と洗浄液排出工程中に電流値検知手段で検知することを特徴とする請求項１または２に記載のレンジフード。
【発明の詳細な説明】
【技術分野】
【０００１】
本発明は、レンジフードに取り付ける油捕集機構部の汚れ除去に関するものである。
【背景技術】
【０００２】
従来、この種のレンジフードは、調理で発生する油煙や埃等を捕集する目的としてフィルターが取り付けられているものが知られている（例えば、特許文献１参照）。
【０００３】
以下、そのレンジフードについて図４を参照しながら説明する。
【０００４】
図４は、特許文献１に開示されている従来のレンジフード１００の構成図である。油等の汚れを含む空気１０１は、吸込口１０２を通過して排気装置１０３の前方に配置されたフィルター１０４を通過する。センサー１０６がフィルター１０４の汚れを検知すると、駆動装置１０５がフィルター１０４を回転させて、汚れを遠心力で除去する。
【０００５】
また、この種のレンジフードには、調理で発生する油煙や埃等を捕集する目的としてフィルターを取り付け、そのフィルターを洗浄液に浸漬させて洗浄するものもある（例えば、特許文献２参照）。
【０００６】
以下、そのレンジフードについて図５を参照しながら説明する。
【０００７】
図５は、特許文献２に開示されている他の従来のレンジフード２００の構成図である。
【０００８】
レンジフード２００は、吸込口２０１とファン２０２との間に設けられるフィルター２０３を備える。フィルター２０３は、略水平に延びる回転軸２０４で回転できる。フィルター２０３の回転軸２０４より下方の部分が、洗浄タンク２０６に収容された洗浄液２０５に浸漬される。フィルター２０３の回転軸２０４より上方の部分には、油、埃等の汚れを含む空気が通過してその汚れが付着している。フィルター２０３を回転軸２０４で回転させることで、汚れが付着した部分を回転軸２０４より下方に位置させて洗浄液２０５に浸漬させて洗浄する。
【先行技術文献】
【特許文献】
【０００９】
【特許文献１】特開平３−１６４６３９号公報
【特許文献２】特開平６−１３７６３０号公報
【発明の概要】
【発明が解決しようとする課題】
【００１０】
このような従来のレンジフードにおいては、洗浄した油や埃が再び油捕集機構部に付着する、という課題があった。
【００１１】
本発明は、上記従来の課題を解決するものであり、洗浄された油や埃の油捕集機構部への再付着を軽減することができるレンジフードを提供することを目的としている。
【課題を解決するための手段】
【００１２】
本発明は、上記目的を達成するために、調理器具上方に位置するよう設けられ、電動機により回転する羽根車と、前記羽根車に一体に設けた油捕集機構部と、前記油捕集機構部を洗浄液に浸漬させるための洗浄ケーシングと、洗浄ケーシングに、洗浄液を貯排する開閉弁とを設け、開閉弁を閉じて洗浄液を貯め、油捕集機構部を回転させながら浸漬して洗浄する洗浄工程後に、開閉弁を開いて洗浄液を排出する洗浄液排出工程を設けた洗浄機能付レンジフードにおいて、洗浄液排出工程では、羽根車を低速で回転させるようにしたものであり、これにより所期の目的を達成するものである。
【発明の効果】
【００１３】
本発明によれば、調理器具上方に位置するよう設けられ、電動機により回転する羽根車と、前記羽根車に一体に設けた油捕集機構部と、前記油捕集機構部を洗浄液に浸漬させるための洗浄ケーシングと、洗浄ケーシングに、洗浄液を貯排する開閉弁とを設け、開閉弁を閉じて洗浄液を貯め、油捕集機構部を回転させながら浸漬して洗浄する洗浄工程後に、開閉弁を開いて洗浄液を排出する洗浄液排出工程を設けた洗浄機能付レンジフードにおいて、洗浄液排出工程では、羽根車を低速で回転させるようにしたことにより、洗浄工程後に、洗浄液と、洗浄液上方に浮遊した、洗浄液より密度が小さい油や埃を、油捕集機構部と一体になった羽根車により攪拌しながら開閉弁から排出でき、油や埃が、油捕集機構部、羽根車、洗浄ケーシングに再付着するのを軽減することができる。
【図面の簡単な説明】
【００１４】
【図１】本発明の実施の形態１のレンジフードを示す側面断面構成図
【図２】同レンジフードの正面断面構成図
【図３】同レンジフードの羽根車の斜視図
【図４】従来のレンジフードを示す側面断面構成図
【図５】同レンジフードを示す側面構成図
【発明を実施するための形態】
【００１５】
本発明の請求項１記載のレンジフードは、調理器具上方に位置するよう設けられ、電動機により回転する羽根車と、前記羽根車に一体に設けた油捕集機構部と、前記油捕集機構部を洗浄液に浸漬させるための洗浄ケーシングと、洗浄ケーシングに、洗浄液を貯排する開閉弁とを設け、開閉弁を閉じて洗浄液を貯め、油捕集機構部を回転させながら浸漬して洗浄する洗浄工程後に、開閉弁を開いて洗浄液を排出する洗浄液排出工程を設けた洗浄機能付レンジフードにおいて、洗浄液排出工程では、羽根車を低速で回転させるようにしたことにより、洗浄工程後に、洗浄液と、洗浄液上方に浮遊した、洗浄液より密度が小さい油や埃を、油捕集機構部と一体になった羽根車により攪拌しながら開閉弁から排出でき、油や埃が油捕集機構部、羽根車、洗浄ケーシングに再付着するのを軽減することができる、という効果を奏する。
【００１６】
また、請求項２に記載のレンジフードは、羽根車の回転数検知手段を設け、洗浄液排出工程中に回転数検知手段で回転数を検知するので、洗浄液排出工程で正常に洗浄液が排出される場合の羽根車の回転数と一致するか否かを判定することにより、排水弁の異常を検知することができるという効果を奏する。
【００１７】
また、請求項３に記載のレンジフードは、電動機の電流値検知手段を設け、洗浄液排出工程中に電流値検知手段で電流値を検知するので、洗浄液排出工程で正常に洗浄液が排出される場合の電動機の電流値と一致するか否かを判定することにより、排水弁の異常を検知することができるという効果を奏する。
【００１８】
以下、本発明の実施の形態について図面を参照しながら説明する。
【００１９】
（実施の形態１）
図１、図２に示すように、本実施の形態１では、調理器具（図示せず）の上方に、調理器具から発生する油煙や周囲に浮遊する埃等を捕集する吸込口１を設けたフード２を壁面３に設置し、フード２には、天面には屋外とダクト４を介して連通する排出口５を設け、内部には電動機６と、電動機６の回転軸７に取り付けた羽根車８と、羽根車８を包括した洗浄ケーシング９を配設し、この羽根車８を介し吸込口１と排出口５を結ぶ通風路２０を形成している。また、フード２の吸込口１近傍には箱状の整流板１０が配設されている。
【００２０】
洗浄ケーシング９の下方には、洗浄液１１を貯水する貯水装置１２と給水ポンプ１３を設け、洗浄ケーシング９には、給水ポンプ１３から接続された散水ノズル１４を設けている。洗浄ケーシング９の下端部には孔１５を設けて、孔１５には洗浄ケーシング９内に洗浄液１１を貯排する開閉弁１６を設け、開閉弁１６の下方に排水トレイ１７を構成している。
【００２１】
電動機６の内部には、回転数センサー（図示せず）と電流センサー（図示せず）がついており、電動機の回転数と電流値を検知する。
【００２２】
回転数センサーとしては、ホールＩＣが好ましく、コストが安く精度がいいからである。
【００２３】
図３に示すように、羽根車８（ここでは遠心ファンを用いる）は、複数のブレード１８（ここでは４８枚）で構成され、羽根車８内部には、リング状の油捕集機構部１９を、一定距離（例えば、１５ｍｍ）を離して、複数枚（ここでは８枚）取り付けている。
【００２４】
上記構成において、調理で油煙が発生しているときに電動機６（好ましくはＤＣモータ）を作動させると、羽根車８が回転し、油煙や埃を含んだ空気が吸込口１から吸い込まれ、通風路２０を通って羽根車８内を通過する際、油や埃がリング状の油捕集機構部１９に衝突してくっついて捕集され、それらが除去された空気が洗浄ケーシング９内を通った後、排出口５を介してダクト４を通って屋外に排出される。
【００２５】
これを繰り返すと、油捕集機構部１９、羽根車８のブレード１８に油や埃が蓄積されていき、目詰まりを発生させ、排出風量の低下を招くこととなる。
【００２６】
排出風量の低下を防ぐため、油捕集機構部１９、羽根車８のブレード１８の洗浄を行うが、まず、開閉弁１６を閉じ、給水ポンプ１３により貯水装置１２に貯めた洗浄液１１を汲み上げ散水ノズル１４に供給する。貯水装置１２内の洗浄液１１は事前に給水しておく。散水ノズル１４より噴射された洗浄液１１は洗浄ケーシング９に貯水される。洗浄ケーシング９に洗浄液１１が貯水された状態で、電動機６を作動させると、羽根車８のブレード１８、油捕集機構部１９の全周が洗浄液１１に浸漬され、洗浄されることとなる。
【００２７】
以上が洗浄工程である。
【００２８】
洗浄ケーシング９内に洗浄液１１が貯水されたままでは、調理時に羽根車８を高速で回転させての油煙や埃を含んだ空気の排出ができないため、洗浄液１１を排出する必要がある。洗浄工程後に洗浄ケーシング９内に溜まった洗浄液１１の上方には、洗浄液１１より密度が小さい油や埃が浮遊する。開閉弁１６は、洗浄ケーシング９の下端にあるため、油や埃が浮遊している状態で洗浄液１１を排出すると油や埃が洗浄ケーシング９や羽根車８のブレード１８、油捕集機構部１９に再付着する。これを防止するため、洗浄液１１排出の際は、電動機６で羽根車８を、洗浄液１１が吐出口から飛び出さない程度の低速（例えば、２０ｒｐｍ）で回転させ、羽根車８のブレード１８で洗浄液１１を攪拌することにより油や埃の、洗浄ケーシング９や羽根車８のブレード１８への再付着を防止する。攪拌して洗浄液１１とともに排出された油や埃は、排水トレイ１７に集められる。
【００２９】
以上が洗浄液排出工程である。
【００３０】
また、洗浄工程では、開閉弁１６が閉じて洗浄ケーシング９に洗浄液１１が貯水される状態が正常であるが、仮に、開閉弁１６が作動せず、洗浄ケーシング９に洗浄液１１が貯水されなかった場合、羽根車８が洗浄液１１に浸漬されず、抵抗が減るため、正常な動作状態のときより羽根車８の回転数が高くなり、電動機６に流れる電流値も違ってくる。
【００３１】
このときの回転数と電流値を回転数センサーと電流値センサーで検知し、正常な動作状態のときの羽根車８の回転数、電動機６の電流値と一致するか否かを判定することにより、開閉弁１６の異常を検知することができる。
【００３２】
逆に、洗浄液排出工程では、開閉弁１６が開いて洗浄ケーシング９から洗浄液１１が排出される状態が正常であるが、仮に、開閉弁１６が作動せず、洗浄ケーシング９から洗浄液１１が排出されなかった場合、羽根車８が洗浄液１１に浸漬されたままで、抵抗が増えるため、正常な動作状態のときより羽根車８の回転数が低くなり、電動機６に流れる電流値も違ってくる。洗浄工程のときと同様に、このときの回転数と電流値を回転数センサーと電流値センサーで検知し、正常な動作状態のときの羽根車８の回転数、電動機６の電流値と一致するか否かを判定することにより、開閉弁１６の異常を検知することができる。
【００３３】
このような構成により、洗浄工程後に、洗浄液１１と、洗浄液１１上方に浮遊した、洗浄液１１より密度が小さい油や埃を、油捕集機構部１９と一体になった羽根車８のブレード１８により攪拌しながら開閉弁１６から排出でき、油や埃の、油捕集機構部１９、羽根車８のブレード１８、洗浄ケーシング９への再付着を軽減することができる。
【００３４】
さらに開閉弁１６が閉じない、開かないなどの異常を検出できる。
【産業上の利用可能性】
【００３５】
本発明にかかるレンジフードは、洗浄した羽根車への汚れの再付着を軽減できるものであり、同様の機能が付いた換気装置にも適用することができる。
【符号の説明】
【００３６】
１    吸込口
２    フード
３    壁面
４    ダクト
５    排出口
６    電動機
７    回転軸
８    羽根車
９    洗浄ケーシング
１０  整流板
１１  洗浄液
１２  貯水装置
１３  給水ポンプ
１４  散水ノズル
１５  孔
１６  開閉弁
１７  排水トレイ
１８  ブレード
１９  油捕集機構部
２０  通風路
【図１】
2014062710.tif 000003
【図２】
2014062710.tif 000004
【図３】
2014062710.tif 000005
【図４】
2014062710.tif 000006
【図５】
2014062710.tif 000007